(57)【要約】【課題】電力線通信システムにおいて、通信機器と他の通信機器との情報伝達の連携を確保する。【解決手段】通信機器６は、電力線３に接続された他の通信機器４と通信する通信データを含む信号を電力線３を介して送受するモデム部２７と、モデム部２７による電力線通信の通信状態を検出する電力線通信検出部２８と、電力線通信検出部２８が検出した電力線通信の通信状態に基づいて、電力線通信の通信品質を判断する通信制御部４１とを有する。そして、通信制御部４１は、判断した電力線通信の通信品質の情報を、他の通信機器４において電力線通信の通信品質に応じた処理を実行させるために、モデム部２７を介して他の通信機器４へ送信する。【選択図】図４
2011010272.tif 000002
【特許請求の範囲】
【請求項１】
電力線に接続され、前記電力線に接続された他の通信機器と通信する通信データを含む信号を前記電力線を介して送受するモデム部と、
前記モデム部による電力線通信の通信状態を検出する電力線通信検出部と、
前記電力線通信検出部が検出した電力線通信の通信状態に基づいて、電力線通信の通信品質を判断する通信制御部と
を有し、
前記通信制御部は、
判断した電力線通信の通信品質の情報を、前記他の通信機器において電力線通信の通信品質に応じた処理を実行させるために、前記モデム部を介して前記他の通信機器へ送信する
通信機器。
【請求項２】
前記通信機器は、
通信データを含む無線信号を送受する無線通信部を有する無線通信端末であり、
前記通信制御部は、
前記他の通信機器での処理に利用される通信データを、前記モデム部を介して前記他の通信機器へ送信し、
前記通信機器は、
前記通信制御部が前記他の通信機器へ通信データを送信可能な状態において前記無線通信部が通信データを受信した場合、前記無線通信部が受信した通信データまたは該通信データの受信を通知するデータを、前記他の通信機器へ送信する通信データとして前記通信制御部へ出力するデータ通信部を有する
請求項１記載の通信機器。
【請求項３】
前記通信機器は、
前記無線通信部による無線通信の通信状態を検出する無線通信検出部を有し、
前記データ通信部は、
前記無線通信検出部が検出した無線通信の通信状態に基づいて無線通信の通信品質を判断し、その判断結果に応じた通信データを、前記他の通信機器において前記無線通信部の通信状態に応じた処理を実行させるために、前記通信制御部へ出力して送信させる
請求項２記載の通信機器。
【請求項４】
前記通信機器は、
前記通信機器で利用するデータを記憶する記憶部と、
前記他の通信機器から所定のデータの送信要求があった場合、前記記憶部から前記所定のデータを読み込み、読み込んだ前記所定のデータを前記通信制御部へ出力するデータ通信部と
を有し、
前記通信制御部は、
前記データ通信部から入力された前記所定のデータを、前記他の通信機器で処理するために、前記モデム部を介して前記他の通信機器へ送信する
請求項１記載の通信機器。
【請求項５】
前記記憶部は、さらに、
前記通信制御部により通信可能な通信データを制限する制限データを記憶し、
前記データ通信部は、
前記他の通信機器から所定のデータの送信要求があった場合、前記制限データを参照し、前記制限データにより通信が制限されていないデータを前記通信制御部へ出力して送信させる
請求項４記載の通信機器。
【請求項６】
前記モデム部は、
前記通信制御部による電力線通信の通信品質の判断結果に応じて、前記他の通信機器との通信モードを切り替える
請求項１記載の通信機器。
【請求項７】
前記モデム部は、
前記通信制御部による電力線通信の通信品質の判断結果に応じて、前記電力線へ出力する信号の出力レベル、または前記電力線へ出力する信号に通信データを重畳するための搬送波の周波数を切り替える
請求項６記載の通信機器。
【請求項８】
前記通信機器は、
バッテリと、
前記バッテリを充電する充電部と
を有し、
前記データ通信部は、
前記通信データを送信する場合、前記充電部による充電を停止する
請求項２記載の通信機器。
【請求項９】
通信機器、通信機器を電力線に接続する充電器、および前記電力線に接続された他の通信機器を有し、
前記通信機器または前記充電器に設けられ、前記他の通信機器と通信する通信データを含む信号を前記電力線を介して送受するモデム部と、
前記通信機器または前記充電器に設けられ、前記モデム部による電力線通信の通信状態を検出する電力線通信検出部と、
前記通信機器または前記充電器に設けられ、前記電力線通信検出部が検出した電力線通信の通信状態に基づいて、電力線通信の通信品質を判断する通信制御部と
を有し、
前記通信制御部は、
判断した電力線通信の通信品質の情報を、前記モデム部を介して前記他の通信機器へ送信し、
前記他の通信機器は、
前記電力線から受信した前記電力線通信の通信品質の情報に基づいて、電力線通信の通信品質に応じた処理を実行する
電力線通信システム。
【請求項１０】
前記他の通信機器は、
表示部を有するパーソナルコンピュータ装置であり、
前記表示部は、
前記モデム部から受信した電力線通信の通信品質の情報に基づいて、前記通信機器における電力線通信の通信品質を前記表示部に表示する
請求項９記載の電力線通信システム。
【請求項１１】
前記他の通信機器は、
表示部および電力線との接続が可能であるとともに、車両等の乗り物に搭載または実装可能な通信装置であり、
前記表示部は、
前記モデム部から受信した電力線通信の通信品質の情報に基づいて、前記通信機器における電力線通信の通信品質を前記表示部に表示する
請求項９記載の電力線通信システム。
【発明の詳細な説明】
【技術分野】
【０００１】
本発明は、電力線通信可能な通信機器、および電力線通信システムに関する。
【背景技術】
【０００２】
特許文献１は、携帯端末が接続される電力変換装置を開示する。
【０００３】
そして、電力変換装置は、電力変換装置に入力される電力線通信の通信品質を検出して表示する。
【０００４】
なお、電力線通信（ＰＬＣ：Power Line Communication）システムとは、電力線搬送通信システムとも呼ばれ、電力線を信号の伝送媒体として用い、電力線に接続された複数の通信機器の間で通信データを含む信号を送受する通信システムである。
【先行技術文献】
【特許文献】
【０００５】
【特許文献１】特開２００８−２３６５６３号公報
【発明の概要】
【発明が解決しようとする課題】
【０００６】
しかしながら、携帯端末に電力線通信の通信品質を表示したとしても、それをユーザが認識するとは限らない。
【０００７】
たとえばパーソナルコンピュータ装置を使用するユーザは、パーソナルコンピュータ装置から離れた位置にある携帯電話機の表示画面を見ることはない。
【０００８】
また、携帯電話機は、無線通信機能を有する。そして、携帯電話機は、電子メールを自動受信したり、音声通話を自動着信したりする。
【０００９】
このように携帯電話機が電子メールを自動的に受信したり、音声通話を自動的に着信したりしても、携帯電話機から離れた位置でパーソナルコンピュータ装置などを操作するユーザは、その携帯電話機の自動応答に対処することができない。
【００１０】
このように携帯電話機などの通信機器では、他の通信機器との情報伝達の連携を確保することが要望されている。なお、電力線には、電灯線および送電線も含まれる。
【課題を解決するための手段】
【００１１】
本発明の第１の観点の通信機器は、電力線に接続され、前記電力線に接続された他の通信機器と通信する通信データを含む信号を前記電力線を介して送受するモデム部と、前記モデム部による電力線通信の通信状態を検出する電力線通信検出部と、前記電力線通信検出部が検出した電力線通信の通信状態に基づいて、電力線通信の通信品質を判断する通信制御部とを有し、前記通信制御部は、判断した電力線通信の通信品質の情報を、前記他の通信機器において電力線通信の通信品質に応じた処理を実行させるために、前記モデム部を介して前記他の通信機器へ送信する。
【００１２】
好適には、前記通信機器は、通信データを含む無線信号を送受する無線通信部を有する無線通信端末であり、前記通信制御部は、前記他の通信機器での処理に利用される通信データを、前記モデム部を介して前記他の通信機器へ送信し、前記通信機器は、前記通信制御部が前記他の通信機器へ通信データを送信可能な状態において前記無線通信部が通信データを受信した場合、前記無線通信部が受信した通信データまたは該通信データの受信を通知するデータを、前記他の通信機器へ送信する通信データとして前記通信制御部へ出力するデータ通信部を有してもよい。
【００１３】
好適には、前記通信機器は、前記無線通信部による無線通信の通信状態を検出する無線通信検出部を有し、前記データ通信部は、前記無線通信検出部が検出した無線通信の通信状態に基づいて無線通信の通信品質を判断し、その判断結果に応じた通信データを、前記他の通信機器において前記無線通信部の通信状態に応じた処理を実行させるために、前記通信制御部へ出力して送信させてもよい。
【００１４】
好適には、前記通信機器は、前記通信機器で利用するデータを記憶する記憶部と、前記他の通信機器から所定のデータの送信要求があった場合、前記記憶部から前記所定のデータを読み込み、読み込んだ前記所定のデータを前記通信制御部へ出力するデータ通信部とを有し、前記通信制御部は、前記データ通信部から入力された前記所定のデータを、前記他の通信機器で処理するために、前記モデム部を介して前記他の通信機器へ送信してもよい。
【００１５】
好適には、前記記憶部は、さらに、前記通信制御部により通信可能な通信データを制限する制限データを記憶し、前記データ通信部は、前記他の通信機器から所定のデータの送信要求があった場合、前記制限データを参照し、前記制限データにより通信が制限されていないデータを前記通信制御部へ出力して送信させてもよい。
【００１６】
本発明の第２の観点の電力線通信システムは、通信機器、通信機器を電力線に接続する充電器、および前記電力線に接続された他の通信機器を有し、前記通信機器または前記充電器に設けられ、前記他の通信機器と通信する通信データを含む信号を前記電力線を介して送受するモデム部と、前記通信機器または前記充電器に設けられ、前記モデム部による電力線通信の通信状態を検出する電力線通信検出部と、前記通信機器または前記充電器に設けられ、前記電力線通信検出部が検出した電力線通信の通信状態に基づいて、電力線通信の通信品質を判断する通信制御部とを有し、前記通信制御部は、判断した電力線通信の通信品質の情報を、前記モデム部を介して前記他の通信機器へ送信し、前記他の通信機器は、前記電力線から受信した前記電力線通信の通信品質の情報に基づいて、電力線通信の通信品質に応じた処理を実行する。
【００１７】
好適には、前記他の通信機器は、表示部を有するパーソナルコンピュータ装置であり、前記表示部は、前記モデム部から受信した電力線通信の通信品質の情報に基づいて、前記通信機器における電力線通信の通信品質を前記表示部に表示してもよい。
【００１８】
好適には、前記他の通信機器は、表示部および電力線との接続が可能であるとともに、車両等の乗り物に搭載または実装可能な通信装置であり、前記表示部は、前記モデム部から受信した電力線通信の通信品質の情報に基づいて、前記通信機器における電力線通信の通信品質を前記表示部に表示してもよい。
【発明の効果】
【００１９】
本発明によれば、携帯電話機などの通信機器と他の通信機器との情報伝達の連携を確保できる。
【図面の簡単な説明】
【００２０】
【図１】図１は、本発明の実施の形態に係る電力線通信システムの構成図である。
【図２】図２は、図１の携帯電話機および充電器の斜視図である。
【図３】図３は、図１の携帯電話機および充電器のハードウェア構成図である。
【図４】図４は、図１の携帯電話機および充電器の実現機能のブロック図である。
【図５】図５は、図１のパーソナルコンピュータ装置の斜視図である。
【図６】図６は、図１のパーソナルコンピュータ装置のハードウェア構成図である。
【図７】図７は、図１のパーソナルコンピュータ装置の実現機能のブロック図である。
【図８】図８は、図１のパーソナルコンピュータ装置に表示される通信品質の表示画面例である。
【図９】図９は、図１の電力線通信ステムでの連携動作例のシーケンスチャートである。
【図１０】図１０は、携帯電話機での電力線通信の品質が劣化した場合の連携動作例のシーケンスチャートである。
【図１１】図１１は、携帯電話機の無線通信の品質が劣化した場合の連携動作例のシーケンスチャートである。
【図１２】図１２は、携帯電話機のデータをパーソナルコンピュータ装置で閲覧する連携動作例のシーケンスチャートである。
【発明を実施するための形態】
【００２１】
以下、本発明の実施形態を図面に関連付けて説明する。
［電力線通信システムの構成］
図１は、本発明の実施の形態に係る電力線通信システム１のシステム構成図である。
【００２２】
電力線通信システム１は、たとえば家屋、ビルなどの建物などに設置され、建物内で使用する通信機器に対して電力を供給する電力線３を通信線として用いる通信システムである。
【００２３】
なお、電力線通信システム１は、複数の建物にまたがって設置されてもよい。
【００２４】
図１の電力線通信システム１は、複数の電力線３と、パーソナルコンピュータ装置（ＰＣ）４と、携帯電話機の充電器（ＣＬＤＬ）５と、携帯電話機（Ｍ＿ＰＨＯＮＥ）６とを有する。携帯電話機６は、無線通信端末の一種である。
【００２５】
複数の電力線３は、商用のＡＣ電源２に接続される。
【００２６】
また、電力線３は、たとえば建物の各部屋、廊下に電力を供給する配線であり、通常、単相の電力を供給するための二本のメタル配線を有する。
【００２７】
各電力線３には、１個または複数の電源コンセント（コンセント）７が接続される。
【００２８】
パーソナルコンピュータ装置４および携帯電話機６は、電気により動作する通信機器である。パーソナルコンピュータ装置４は、そのプラグが電源コンセント７に接続されて動作する。充電器５は、そのプラグが電源コンセント７に接続される。携帯電話機６は、電源コンセント７に接続された充電器５に接続されて動作できる。
【００２９】
乗り物１００は、車両等であって、電気自動車、電動軽車両等を含む。乗り物は、それらに配設された充電端子等に用いるそのプラグが電源コンセント７接続されて、充電の動作を行なう。車両等に実装された電源コンセントに、さらに、携帯電話機６は、電源コンセント７に接続された充電器５に接続されて動作することもできる。
【００３０】
上述したように電力線３は、通信機器へ電力を供給するために建物などに設けられている。そのため、図１に示すように、電力線通信システム１の電力線３には、電力線通信システム１を用いて電力線通信をしない冷蔵庫８などの家電機器なども接続される。
【００３１】
冷蔵庫８は、庫内を所定の温度に保つために間欠的に繰り返しコンプレッサが作動する。コンプレッサが動作すると、電力線３上の電力の電圧波形が歪んだり、電力線３上にノイズが出力される。
【００３２】
そして、電力線通信システム１の通信環境は、このような電圧波形の歪みまたはノイズにより、ダイナミックにかつ瞬時的に変化することがある。
【００３３】
また、電力線通信システム１の通信環境は、電力線通信システム１を構成する電力線３の一部の電力線３のみが通信できない環境となることがある。
【００３４】
たとえば図１において、パーソナルコンピュータ装置４が接続された電力線３は、良好な通信環境であるにもかかわらず、携帯電話機６が接続された電力線３は通信エラーが発生する通信環境となる場合もある。
［携帯電話機６および充電器５の構成］
図２は、図１の携帯電話機６および充電器５を示す斜視図である。充電器５は、充電台１１と、電源ケーブル１２とを有する。
【００３５】
そして、充電器５は、電源ケーブル１２の先端のプラグが電源コンセント７に接続される。また、充電台１１に携帯電話機６が載置される。これにより、充電器５および携帯電話機６は、電力線３に接続される。
【００３６】
図３は、図１の携帯電話機６および充電器５のハードウェア構成を示すブロック図である。
【００３７】
携帯電話機６は、無線通信部（ＲＦ）２１、無線通信検出部（ＲＦ＿ＤＴＣＴ）２２、操作部（Ｍ＿ＫＥＹ）２３、表示部（Ｍ＿ＤＩＳＰ）２４、ＣＰＵ（Central Processing
Unit）２５、記憶部（ＭＥＭ）２６を有する。
【００３８】
また、携帯電話機６は、携帯モデム部（Ｍ＿ＭＯＤＥＭ）２７、電力線通信検出部（ＰＬＣ＿ＤＴＣＴ）２８、音声処理部（ＶＯ）２９を有する。
【００３９】
これらの内部回路は、システムバス３０により接続される。
【００４０】
また、携帯電話機６は、受電部（ＣＨＲＧ）３３と、バッテリ（ＢＡＴ）３４とを有する。
【００４１】
充電器５は、ＡＣ−ＤＣコンバータ（ＣＶＴ）１３を有する。
【００４２】
ＡＣ−ＤＣコンバータ１３は、電力線３に接続される。
【００４３】
ＡＣ−ＤＣコンバータ１３は、電力線３から入力される交流電力を直流電力に変換する。
【００４４】
携帯電話機６の受電部３３は、携帯電話機６を充電台１１に載置することで、ＡＣ−ＤＣコンバータ１３に接続される。
【００４５】
受電部３３は、バッテリ３４が満充電状態でない場合、ＡＣ−ＤＣコンバータ１３から供給される直流電力をバッテリ３４へ供給する。この際、受電部３３は、スイッチング動作により、バッテリ３４の充電電流を調整する。
【００４６】
適切な充電電流により充電することにより、バッテリ３４は長期間に渡って使用できる。
【００４７】
また、上述したＣＰＵ２５などの携帯電話機６の内部回路は、バッテリ３４に接続され、バッテリ３４の蓄電電力により動作する。
【００４８】
また、受電部３３がバッテリ３４を充電している場合、その充電電力の一部は内部回路へ供給される。この場合、携帯電話機６の内部回路は、バッテリ３４の充電電力が不足していたとしても、受電部３３の充電電力により動作できる。
【００４９】
無線通信部２１は、アンテナ２１ａを有し、図示外の携帯電話機６用の基地局と通信チャネルを確立し、基地局と通信データを送受する。
【００５０】
そして、無線通信部２１は、ＣＰＵ２５から入力される入力信号に含まれる通信データを基地局へ無線送信する。また、無線通信部２１は、基地局から受信した通信データを含む信号をＣＰＵ２５へ出力する。
【００５１】
無線通信検出部２２は、無線通信部２１に接続される。
【００５２】
無線通信検出部２２は、無線通信部２１が受信した通信信号に基づいて、無線通信部２１による無線通信の状態を検出する。
【００５３】
無線通信検出部２２は、たとえば無線通信部２１が受信した信号のＲＳＳＩ（Received
Signal Strength Indicator）値を検出したり、受信信号に含まれる通信データのエラー発生率を検出したりする。
【００５４】
無線通信検出部２２は、検出した無線通信の通信状態を示す値を含む信号をＣＰＵ２５へ出力する。
【００５５】
操作部２３は、複数の操作キーを有する。操作キーには、たとえばファンクションキー、電源キー、通話キー、数字キー、文字キー、発信キーなどがある。操作キーは、図２に示すように、携帯電話機６の表面に配置される。
【００５６】
そして、操作部２３は、ユーザにより操作された操作キーに対応する信号をＣＰＵ２５へ出力する。
【００５７】
表示部２４は、図示外のＬＣＤ（Liquid Crystal Display Device）や有機ＥＬ（Electro-Luminescence）デバイスなどを有する。表示部２４は、図２に示すように、携帯電話
機６の表面に配置される。
【００５８】
そして、表示部２４は、ＣＰＵ２５から入力された信号に含まれる表示データを表示する。
【００５９】
音声処理部２９は、スピーカ（Ｍ＿ＳＰ）３１およびマイクロホン（Ｍ＿ＭＩＣ）３２に接続される。
【００６０】
そして、音声処理部２９は、マイクロホン３２に入力された音声をサンプリングし、音声データを含む信号をＣＰＵ２５へ出力する。
【００６１】
また、音声処理部２９は、ＣＰＵ２５からの入力信号に含まれる音声データによりスピーカ３１を駆動する。これにより、スピーカ３１から音声データに対応する音声が出力される。
【００６２】
携帯モデム部２７は、携帯電話機６を充電台１１に載置することで、充電器５内で電力線３に接続される。携帯モデム部２７は、所定の電力線通信方式により他の通信機器（図１ではパーソナルコンピュータ装置４）と通信データを送受する。
【００６３】
電力線通信（ＰＬＣ：Power Line Communication）方式には、ＨＤ−ＰＬＣ、Ｈｏｍｅ−Ｐｌｕｇ、ＵＰＡ（Universal Powerline Association）などがある。ＨＤ−ＰＬＣは
、ＩＥＥＥ  Ｐ１９０１として規格化されている。
【００６４】
これらの電力線通信方式では、電力線３を通信ネットワークの物理層として利用し、複数のＰＬＣの通信装置間で通信データを双方向通信できる。
【００６５】
たとえば、ＨＤ−ＰＬＣ方式では、通信データは、Ｗａｖｅｌｅｔ  ＯＦＤＭ（Orthogonal Frequency Division Multiplex：直交周波数分割多重方式）変調される。また、変
調された通信データは、４５０ｋＨｚ帯の搬送波または２ＭＨｚ帯の搬送波を用いて、信号に重畳される。この信号が電力線３に出力される。
【００６６】
また、ＨＤ−ＰＬＣでは、各サブキャリアを変調するためにＰＡＭ（Pulse Amplitude Modulation）を使用する。
【００６７】
なお、ｋＨｚ帯の搬送波とＭＨｚ帯の搬送波とを比較した場合、ｋＨｚ帯は、ＭＨｚ帯に比べて電化製品のノイズが乗りやすいが、長距離の電力線通信において有利であるという特徴がある。
【００６８】
電力線通信検出部２８は、携帯モデム部２７に接続される。
【００６９】
電力線通信検出部２８は、携帯モデム部２７が受信した通信信号に基づいて、携帯モデム部２７による電力線通信の通信状態を検出する。
【００７０】
電力線通信検出部２８は、たとえば信号のＲＳＳＩ値、通信データのエラー発生率、通信データの転送速度、信号のＳＮ比であるＣＩＮＲ（Carrier to Interference and Noise Ratio）、電力の電圧波形に対する信号の波形の割合を示す信号電力比などを検出する
。
【００７１】
電力線通信検出部２８は、検出した電力線通信の通信状態を示す値を含む信号をＣＰＵ２５へ出力する。
【００７２】
記憶部２６は、ＣＰＵ２５が読み込んで実行可能なプログラム、ＣＰＵ２５が利用するデータなどを記憶する。
【００７３】
携帯電話機６のＣＰＵ２５が利用するデータには、たとえば図４に示すように、電子メールデータ４６、アドレスデータ４７、履歴データ４８がある。
【００７４】
電子メールデータ４６は、携帯電話機６と基地局との間で送受する通信データである。
【００７５】
アドレスデータ４７は、通信先の電話番号や電子メールアドレスを有するデータである。
【００７６】
履歴データ４８は、携帯電話機６での電子メールの送受信の履歴、通話履歴などのデータである。
【００７７】
この他にも、記憶部２６は、電力線通信時にＣＰＵ２５が利用するデータとして、制限データ４９を記憶する。
【００７８】
制限データ４９は、電力線通信により通信可能なデータの情報と、通信不可のデータの情報とを有する。なお、制限データ４９は、これらの情報の一方のみを有してもよい。
【００７９】
制限データ４９は、たとえば携帯電話機６の操作部２３の操作に基づいて生成され、記憶部２６に記憶される。
【００８０】
記憶部２６に記憶されるプログラムは、たとえばＣＤ−ＲＯＭなどのコンピュータ読み取り可能な記録媒体に記録されたものをインストールしたものであってもよい。
【００８１】
また、記憶部２６に記憶されるプログラムは、インターネットなどの伝送媒体を介してダウンロードしたものをインストールしたものであってもよい。
【００８２】
ＣＰＵ２５は、記憶部２６に記憶されるプログラムを読み込んで実行する携帯電話機６のコンピュータであり、携帯電話機６の制御部として機能する。
【００８３】
図４は、携帯電話機６のＣＰＵ２５がプログラムを実行することにより、充電中の携帯電話機６に実現される機能を示すブロック図である。
【００８４】
なお、図４は、後述する図７と合わせて電力線通信システム１の機能ブロック図を構成する。
【００８５】
そして、ＣＰＵ２５がプログラムを実行することにより、図４に示すように、携帯電話機６には、携帯通信制御部（Ｍ＿ＣＴＲＬ）４１、携帯データ通信部（Ｍ＿ＣＯＭ）４２が実現される。
【００８６】
携帯通信制御部４１は、携帯モデム部２７による通信データの送受信を制御する。
【００８７】
たとえば、携帯通信制御部４１は、電力線通信により送信する通信データを携帯モデム部２７へ出力する。また、携帯通信制御部４１は、携帯モデム部２７から、携帯モデム部２７が受信した通信データを取得する。
【００８８】
また、携帯通信制御部４１は、携帯モデム部２７による電力線通信の通信品質を判断し、携帯モデム部２７の動作を制御する。
【００８９】
携帯通信制御部４１は、たとえば電力線通信検出部２８から、電力線通信の通信状態を示す値を取得し、この値に応じて携帯モデム部２７が変調する通信データの搬送波の周波数を制御する。
【００９０】
この他にも例えば、携帯通信制御部４１は、通信状態を示す値に応じて、携帯モデム部２７が出力する信号の強度レベルを制御する。
【００９１】
これにより、携帯モデム部２７は、携帯通信制御部４１により制御された周波数の搬送波を用いて通信データを信号に重畳し、通信データを含む信号として、携帯通信制御部４１により制御された強度レベルの信号を電力線３へ出力する。
【００９２】
携帯データ通信部４２には、電力線通信を用いて送受されるデータが入出力される。
【００９３】
携帯データ通信部４２には、たとえば操作部２３、無線通信部２１、無線通信検出部２２、携帯通信制御部４１からデータが入力される。携帯データ通信部４２は、データの入力元および入力データの内容に応じた処理を実行する。
【００９４】
たとえば携帯データ通信部４２は、無線通信部２１または無線通信検出部２２からデータが入力されると、入力データを携帯通信制御部４１へ出力する。
【００９５】
この他にも例えば、携帯データ通信部４２は、携帯通信制御部４１からデータが入力されると、入力データの内容に応じた処理を実行する。
【００９６】
たとえば携帯データ通信部４２は、携帯通信制御部４１からの入力データが無線送信用のデータである場合、入力データを無線通信部２１へ出力する。
【００９７】
また、携帯通信制御部４１からの入力データが携帯電話機６で利用するデータの送信要求である場合、携帯データ通信部４２は、送信要求に係るデータを記憶部２６から読み込み、読み込んだデータを携帯通信制御部４１へ出力する。
【００９８】
また、携帯データ通信部４２は、後述するように送信要求に係るデータの送信可否を判断し、送信不可である場合にはその旨を通知する所定の通信データを携帯通信制御部４１へ出力する。
［パーソナルコンピュータ装置の構成］
図５は、図１のパーソナルコンピュータ装置４を示す斜視図である。パーソナルコンピュータ装置４は、装置本体５１と、電源ケーブル５２とを有する。
【００９９】
そして、パーソナルコンピュータ装置４は、電源ケーブル５２の先端のプラグが電源コンセント７に接続される。これにより、パーソナルコンピュータ装置４は、電力線３に接続される。
【０１００】
図６は、図１のパーソナルコンピュータ装置４のハードウェア構成を示すブロック図である。
【０１０１】
パーソナルコンピュータ装置４は、ＣＰＵ６１、記憶部（ＭＥＭ）６２、操作部（ＰＣ＿ＫＥＹ）６３、表示部（ＰＣ＿ＤＩＳＰ）６４、ＰＣモデム部（ＰＣ＿ＭＯＤＥＭ）６５、音声処理部（ＶＯ）６６を有する。
【０１０２】
これらの内部回路は、システムバス６７により接続される。
【０１０３】
音声処理部６６は、スピーカ（ＰＣ＿ＳＰ）６８とマイクロホン（ＰＣ＿ＭＩＣ）６９とに接続される。
【０１０４】
パーソナルコンピュータ装置４のＣＰＵ６１、記憶部６２、操作部６３、表示部６４、ＰＣモデム部６５、音声処理部６６は、携帯電話機６のＣＰＵ２５、記憶部２６、操作部２３、表示部２４、携帯モデム部２７、音声処理部２９と同じ機能を有するため、説明を省略する。
【０１０５】
また、パーソナルコンピュータ装置４は、電力線３に接続された電源部（ＰＳ）７０を有する。
【０１０６】
電源部７０は、パーソナルコンピュータ装置４の内部回路へ電力を供給する。
【０１０７】
これにより、パーソナルコンピュータ装置４の内部回路は動作する。
【０１０８】
図７は、パーソナルコンピュータ装置４のＣＰＵ６１が記憶部６２に記憶されるプログラムを読み込んで実行することにより、パーソナルコンピュータ装置４に実現される機能を示すブロック図である。
【０１０９】
そして、ＣＰＵ６１がプログラムを実行することにより、パーソナルコンピュータ装置４には、ＰＣ通信制御部（ＰＣ＿ＣＴＲＬ）７１、ＰＣデータ通信部（ＰＣ＿ＣＯＭ）７２が実現される。
【０１１０】
ＰＣ通信制御部７１は、携帯モデム部２７による通信データの送受信を制御する。
【０１１１】
また、携帯通信制御部４１は、携帯通信制御部４１から受信した携帯電話機６での電力線通信の通信品質に基づいて、携帯モデム部２７の動作を制御する。携帯通信制御部４１は、通信データの搬送波の周波数および信号の強度レベルを制御する。
【０１１２】
携帯モデム部２７は、ＰＣ通信制御部７１により制御された周波数の搬送波を用いて通信データを信号に重畳し、携帯通信制御部４１により制御された強度レベルの信号を電力線３へ出力する。
【０１１３】
ＰＣデータ通信部７２には、電力線通信を用いて送受されるデータが入出力される。
【０１１４】
ＰＣデータ通信部７２には、たとえば操作部６３、ＰＣ通信制御部７１からデータが入力される。
【０１１５】
そして、ＰＣデータ通信部７２は、データの入力元および入力データの内容に応じた処理を実行する。
【０１１６】
たとえばＰＣデータ通信部７２は、操作部６３からデータが入力されると、入力データをＰＣ通信制御部７１へ出力する。
【０１１７】
この他にも例えば、ＰＣデータ通信部７２は、ＰＣ通信制御部７１からデータが入力されると、入力データの内容に応じた処理を実行する。
【０１１８】
たとえばＰＣ通信制御部７１から入力されたデータが電力線通信の品質に関するデータである場合、ＰＣデータ通信部７２は、ＰＣ通信制御部７１に対して通信品質に応じた通信モードの設定を指示する。
【０１１９】
ＰＣ通信制御部７１は、通信モードに応じた搬送波の周波数、信号の強度レベルなどをＰＣモデム部６５に設定する。
【０１２０】
また、ＰＣデータ通信部７２は、通信品質を表示部６４に表示させる。
【０１２１】
また、ＰＣ通信制御部７１からの入力データが携帯電話機６の無線通信の品質のデータである場合、ＰＣデータ通信部７２は、携帯電話機６の無線通信の品質に応じた制御を実行する。
【０１２２】
たとえば無線通信品質が悪い場合、ＰＣデータ通信部７２は、ＰＣデータ通信部７２による無線通信データの生成機能を停止する。
【０１２３】
また、ＰＣ通信制御部７１からの入力データが携帯電話機６が受信した無線通信の通信データである場合、ＰＣデータ通信部７２は、通信データの出力処理を実行する。
【０１２４】
たとえば通信データが電子メールなどの表示データである場合、ＰＣデータ通信部７２は、通信データの内容を表示部６４に表示する。
【０１２５】
また、通信データが音声データである場合、ＰＣデータ通信部７２は、音声処理部６６へ音声データを出力する。これにより、スピーカ６８から音声が出力される。
【０１２６】
図８は、パーソナルコンピュータ装置４の表示部６４に表示される通信品質の表示画面例である。
【０１２７】
図８の表示画面には、電力線通信の通信品質を示す表示画像８１と、携帯電話機６の無線通信の通信品質を示す表示画像８２とが表示されている。
【０１２８】
また、図８は、電力線通信の通信品質が良好であり、かつ携帯電話機６の無線通信の通信品質も良好である場合の画面である。
【０１２９】
そして、たとえば電力線通信の通信品質が搬送波の周波数を低く制御する必要がある程に悪くなると、ＰＣデータ通信部７２は、電力線通信の通信品質を示す表示画像８１中のプラグ横の縦バーの本数を減らした画像に切り替える。
【０１３０】
次に、電力線通信システム１の動作を説明する。
［パーソナルコンピュータ装置を用いて携帯電話機による無線通信を行う動作］
図９は、パーソナルコンピュータ装置４を用いて携帯電話機６による無線通信を行う処理の一例を示すシーケンスチャートである。
【０１３１】
パーソナルコンピュータ装置４が電力線３に接続されると、ＰＣモデム部６５は電力線３に接続される。また、携帯電話機６が充電器５に載置されると、携帯モデム部２７は電力線３に接続される。
【０１３２】
この状態で、携帯通信制御部４１とＰＣ通信制御部７１とは接続処理を実行する（ステップＳＴ１）。
【０１３３】
接続処理では、たとえばＰＣ通信制御部７１はＰＣモデム部６５に呼出し信号を周期的に送信させる。また、携帯通信制御部４１は、携帯モデム部２７がこの呼出し信号を受信したら、応答信号を携帯モデム部２７に送信させる。
【０１３４】
これにより、携帯通信制御部４１とＰＣ通信制御部７１とは、通信可能な相手として互いを認識する。
【０１３５】
接続処理が完了すると、携帯通信制御部４１は、携帯データ通信部４２を起動する（ステップＳＴ２）。
【０１３６】
また、ＰＣ通信制御部７１は、ＰＣデータ通信部７２を起動する（ステップＳＴ３）。
【０１３７】
パーソナルコンピュータ装置４と携帯電話機６とが電力線通信により通信可能な状態において、携帯電話機６の無線通信部２１は、通信データを受信すると、受信した通信データを携帯データ通信部４２へ出力する（ステップＳＴ１１）。
【０１３８】
携帯データ通信部４２は、入力されたデータを電力線通信するための処理を開始する。
【０１３９】
具体的には、携帯データ通信部４２は、入力データを電力線通信に適したデータ形式とするために加工し、記憶部２６に一時的に保存する（ステップＳＴ１２）。
【０１４０】
なお、データの記憶部２６への保存処理は、無線通信部２１が直接実行してもよい。
【０１４１】
無線通信部２１からの入力データを加工保存した後、携帯データ通信部４２は、電力線通信が接続中であるか否かを判断する（ステップＳＴ１３）。
【０１４２】
なお、携帯データ通信部４２は、携帯通信制御部４１から接続完了通知があった場合に、電力線通信が接続中であると判断すればよい。
【０１４３】
そして、電力線通信が接続中でない場合、携帯データ通信部４２は、通信データを無線受信した旨を表示部２４に表示する（ステップＳＴ１４）。
【０１４４】
これに対して、電力線通信が接続中である場合、携帯データ通信部４２は、受電部３３に充電停止を指示する（ステップＳＴ１５）。
【０１４５】
受電部３３は、充電のためのスイッチング動作を停止する。これにより、受電部３３のスイッチング動作に伴う高周波ノイズが電源線に出力されなくなる。
【０１４６】
なお、携帯データ通信部４２は、バッテリ３４が満充電または十分に充電されている場合にのみ、受電部３３に充電停止を指示してもよい。
【０１４７】
また、携帯データ通信部４２は、充電器５に対しても停止を指示するようにしてもよい。
【０１４８】
受電部３３に充電停止を指示した後、携帯データ通信部４２は、記憶部２６から加工保存した通信データを読み込み、携帯通信制御部４１へ出力する（ステップＳＴ１６）。
【０１４９】
携帯通信制御部４１は、通信データを携帯モデム部２７へ出力する。
【０１５０】
携帯モデム部２７は、通信データを変調し、信号に重畳して電力線３へ出力する。
【０１５１】
また、携帯データ通信部４２は、携帯通信制御部４１へ通信データを出力した後、受電部３３に充電再開を指示する（ステップＳＴ１７）。
【０１５２】
受電部３３は、充電のためのスイッチング動作を再開する。
【０１５３】
このように、携帯データ通信部４２は、通信データを送信する期間において、受電部３３のスイッチング動作を停止する。
【０１５４】
以上の動作が携帯電話機６側で実行されると、ＰＣモデム部６５は、電力線３から通信データを含む信号を受信する（ステップＳＴ２１）。
【０１５５】
また、ＰＣモデム部６５は、受信信号に含まれる通信データをＰＣ通信制御部７１へ出力する。
【０１５６】
ＰＣ通信制御部７１は、ＰＣモデム部６５から入力された通信データの内容に応じたデータ処理を実行する（ステップＳＴ２２）。
【０１５７】
その後、ＰＣ通信制御部７１は、たとえば通信データの内容を表示部６４に表示させる（ステップＳＴ２３）。
【０１５８】
以上の一連の処理により、携帯電話機６が充電中に受信した通信データの内容をパーソナルコンピュータ装置４の表示部６４に表示させることができる。たとえば、携帯電話機６が受信した電子メールの内容をパーソナルコンピュータ装置４の表示部６４に表示できる。
【０１５９】
また、携帯電話機６に着信した通話の音声をパーソナルコンピュータ装置４のスピーカから出力できる。
【０１６０】
また、パーソナルコンピュータ装置４の操作部６３は、ユーザ操作に応じて、入力データをＰＣデータ通信部７２へ出力する（ステップＳＴ３１）。
【０１６１】
ＰＣデータ通信部７２は、電力線通信が接続中であるか否かを判断する（ステップＳＴ３２）。
【０１６２】
そして、電力線通信が接続中でない場合、携帯データ通信部４２は、入力データを携帯電話機６へ送信できない旨を表示部６４に表示する（ステップＳＴ３３）。
【０１６３】
これに対して、電力線通信が接続中である場合、携帯データ通信部４２は、操作部６３から入力された入力データを、ＰＣ通信制御部７１へ出力する（ステップＳＴ３４）。
【０１６４】
ＰＣ通信制御部７１は、ＰＣモデム部６５、電力線３、携帯モデム部２７を介して、入力データを携帯通信制御部４１へ送信する。
【０１６５】
携帯通信制御部４１は、電力線通信により受信した通信データを携帯データ通信部４２へ出力する（ステップＳＴ４１）。
【０１６６】
パーソナルコンピュータ装置４からデータを受信すると、携帯データ通信部４２は、入力データを無線通信に適したデータ形式とするために加工し、記憶部２６に一時的に保存する（ステップＳＴ４２）。
【０１６７】
その後、携帯データ通信部４２は、保存した通信データを無線通信部２１へ出力する。
【０１６８】
無線通信部２１は、通信データを無線送信する（ステップＳＴ４３）。
【０１６９】
以上の一連の処理により、携帯電話機６の充電中に、パーソナルコンピュータ装置４に入力されたデータを、携帯電話機６から無線送信することができる。
【０１７０】
たとえば、パーソナルコンピュータ装置４の操作部６３に入力された電子メールを、携帯電話機６から送信できる。
【０１７１】
また、パーソナルコンピュータ装置４のマイクロホン６９に入力された通話の音声データを、携帯電話機６から送信できる。
【０１７２】
これにより、携帯電話機４がパーソナルコンピュータ装置４から離れた場所にあったとしても、ユーザは、携帯電話機４の着信などに対応することができる。
【０１７３】
また、携帯電話機６とパーソナルコンピュータ装置４とは、電力線通信により、連携して動作する。
［電力線通信の品質が劣化した場合の干渉回避のための切り替え動作］
図１０は、電力線通信の品質が劣化した場合の切り替え処理の一例を示すシーケンスチャートである。
【０１７４】
携帯通信制御部４１とＰＣ通信制御部７１とが接続されている場合、ＰＣデータ通信部７２は、通信データまたはリクエストデータを周期的に出力する（ステップＳＴ５１）。
【０１７５】
この通信データまたはリクエストデータは、ＰＣ通信制御部７１、ＰＣモデム部６５、電力線３、携帯モデム部２７、携帯通信制御部４１を介して、携帯データ通信部４２に受信される。
【０１７６】
また、ＰＣモデム部６５が通信データを受信すると、電力線通信検出部２８は、携帯モデム部２７が受信した通信信号に基づいて、携帯モデム部２７による電力線通信の状態を検出する（ステップＳＴ５２）。
【０１７７】
また、電力線通信検出部２８は、検出した電力線通信の状態の情報を含む信号を携帯通信制御部４１へ出力する（ステップＳＴ５３）。
【０１７８】
電力線通信の状態の情報を含む信号が入力されると、携帯通信制御部４１は、その検出情報に基づいて、電力線通信の通信品質を判定する（ステップＳＴ５４）。
【０１７９】
携帯通信制御部４１は、たとえば信号電力比が所定値以下であると、通信品質が悪いと判定する。
【０１８０】
また、携帯通信制御部４１は、エラー発生率が所定値以上であると、通信品質が悪いと判定する。
【０１８１】
また、携帯通信制御部４１は、電力線通信の状態の情報および判定結果の情報を通信データとして、携帯モデム部２７へ出力する（ステップＳＴ５５）。
【０１８２】
これらの情報は、パーソナルコンピュータ装置４へ送信され、ＰＣデータ通信部７２に受信される（ステップＳＴ５６）。
【０１８３】
また、携帯データ通信部４２は、判定結果に基づいて、携帯電話機６における電力線通信の通信品質が劣化したか否かを判断する（ステップＳＴ５７）。
【０１８４】
そして、携帯電話機６における電力線通信の通信品質が劣化したと判断した場合、携帯データ通信部４２は、携帯通信制御部４１へ電力線通信の通信モードを低品質のモードへ切り替える指示をする（ステップＳＴ５８）。
【０１８５】
携帯通信制御部４１は、携帯モデム部２７による搬送波の周波数を低周波に切り替える（ステップＳＴ５９）。
【０１８６】
また、携帯通信制御部４１は、携帯モデム部２７から出力する信号の強度レベルを上げる。
【０１８７】
これにより、携帯モデム部２７は、通信データを送信する場合、低周波の搬送波を用いて通信データを信号に重畳し、高い強度レベルの信号を出力する。
【０１８８】
このように周波数を切り替えることにより、通信品質の改善が期待できる。
【０１８９】
また、信号の強度レベルを高くすることにより、電力線通信におけるノイズフロアが上昇したとしても、その上昇したノイズレベルに信号が埋もれ難くなる。
【０１９０】
なお、携帯通信制御部４１は、たとえばノイズレベルをサーチし、ノイズレベルが上がった分だけ、信号レベルを上げるようにすればよい。これにより、通信品質を維持できる。
【０１９１】
ステップＳＴ５１に示すように、ＰＣデータ通信部７２は、通信データまたはリクエストデータを周期的に出力する。
【０１９２】
通信データまたはリクエストデータを周期的に出力した後、ＰＣデータ通信部７２は、通信データを受信したか否かを判断する（ステップＳＴ６０）。
【０１９３】
また、ＰＣデータ通信部７２は、通信データを受信していない場合にはさらに、タイムアウトしたか否かを判断する（ステップＳＴ６１）。
【０１９４】
そして、タイムアウトした場合、ＰＣデータ通信部７２は、パーソナルコンピュータ装置４での電力線通信による通信が不可である旨を、表示部６４に表示する（ステップＳＴ６２）。
【０１９５】
これに対して、タイムアウト前に上述した電力線通信の状態の情報および判定結果の情報を通信データとして受信すると、ＰＣデータ通信部７２は、ステップＳＴ６１において、通信データを受信したと判断する。
【０１９６】
また、ＰＣデータ通信部７２は、受信した電力線通信の状態の情報および判定結果の情報に基づいて、携帯電話機６における電力線通信の通信品質が劣化したか否かを判断する（ステップＳＴ６３）。
【０１９７】
そして、携帯電話機６における電力線通信の通信品質が劣化したと判断した場合、ＰＣデータ通信部７２は、ＰＣ通信制御部７１へ電力線通信の通信モードを低品質のモードへ切り替える指示をする（ステップＳＴ６４）。
【０１９８】
ＰＣ通信制御部７１は、ＰＣモデム部６５による搬送波の周波数を低周波に切り替える。
【０１９９】
また、ＰＣ通信制御部７１は、ＰＣモデム部６５から出力する信号の強度レベルを上げる（ステップＳＴ６５）。
【０２００】
これにより、ＰＣモデム部６５は、通信データを送信する場合、低周波の搬送波を用いて通信データを信号に重畳し、高い強度レベルの信号を出力する。
【０２０１】
電力線通信の通信モードを低品質のモードへ切り替える指示をした後、ＰＣデータ通信部７２は、電力線通信を低品質のモードへ切り替えた旨を、表示部６４に表示する（ステップＳＴ６６）。
【０２０２】
以上の一連の処理により、電力線通信の品質が劣化した場合、携帯モデム部２７およびＰＣモデム部６５は、劣化した通信品質に応じた通信モードに切り替わる。
【０２０３】
よって、携帯モデム部２７およびＰＣモデム部６５は、干渉を回避して、通信品質が良い場合に利用する通信モードにおいて通信データを送受信した場合に比べて、通信データを適切に送受することができる。
【０２０４】
たとえば電力線３に高周波ノイズが含まれている場合でも、低周波の搬送波を用いて信号に重畳された通信データにより、通信データを適切に送受することができる。
［携帯電話機６の無線通信の品質が劣化した場合の動作］
図１１は、携帯電話機６の無線通信の品質が劣化した場合の処理の一例を示すシーケンスチャートである。
【０２０５】
携帯電話機６の無線通信部２１が通信データを受信する（ステップＳＴ７１）と、無線通信検出部２２は、受信された通信データに基づいて、無線通信部２１による無線通信の状態を検出する（ステップＳＴ７２）。
【０２０６】
無線通信検出部２２は、検出した状態のデータを携帯データ通信部４２へ出力する。
【０２０７】
無線通信状態の検出データが入力されると、携帯データ通信部４２は、無線通信の通信品質を判定する（ステップＳＴ７３）。
【０２０８】
携帯データ通信部４２は、たとえば受信信号のＲＳＳＩ値が所定値以下である場合、通信品質が悪いと判定する。
【０２０９】
また、携帯データ通信部４２は、エラー発生率が所定値以上であると、通信品質が悪いと判定する。
【０２１０】
また、携帯データ通信部４２は、判定結果の情報を通信データとして、携帯通信制御部４１へ出力する（ステップＳＴ７４）。
【０２１１】
判定結果の情報は、パーソナルコンピュータ装置４へ送信され、ＰＣデータ通信部７２に受信される（ステップＳＴ７５）。
【０２１２】
ＰＣデータ通信部７２は、無線通信の通信品質の判定結果の情報を受信すると、ＰＣデータ通信部７２による無線通信データの生成機能を停止する（ステップＳＴ７６）。
【０２１３】
これにより、パーソナルコンピュータ装置４は、携帯電話機６から無線送信する通信データを生成できなくなる。
【０２１４】
また、ＰＣデータ通信部７２は、無線通信データの生成機能を停止した旨を表示部６４に表示する（ステップＳＴ７７）。
【０２１５】
これにより、ユーザは、携帯電話機６を用いたデータ通信ができないことを知ることができる。
［携帯電話機の内部データをパーソナルコンピュータ装置で閲覧する動作］
図１２は、携帯電話機６の内部データをパーソナルコンピュータ装置４で閲覧する処理の一例を示すシーケンスチャートである。
【０２１６】
携帯通信制御部４１とＰＣ通信制御部７１とによる接続処理が終えた後に、パーソナルコンピュータ装置４の操作部６３が操作される（ステップＳＴ８１）と、ＰＣデータ通信部７２は、操作に応じたデータを携帯電話機６から取得する処理を開示する。
【０２１７】
具体的には、ＰＣデータ通信部７２は、携帯電話機６の所定の内部データの送信を要求するリクエストの通信データを生成し、ＰＣ通信制御部７１へ出力する（ステップＳＴ８２）。
このリクエストの通信データは、ＰＣ通信制御部７１、ＰＣモデム部６５、電力線３、携帯モデム部２７、携帯通信制御部４１を介して、携帯データ通信部４２に受信される（ステップＳＴ８３）。
【０２１８】
携帯電話機６の所定の内部データの送信を要求するリクエストが入力されると、携帯データ通信部４２は、リクエストに係るデータの読み出し処理を開始する。
【０２１９】
具体的には、携帯データ通信部４２は、まず、記憶部２６から制限データ４９を読み込む（ステップＳＴ８４）。
【０２２０】
また、携帯データ通信部４２は、制限データ４９に基づいて、リクエストに係るデータが送信可能であるか否かを判断する（ステップＳＴ８５）。
【０２２１】
そして、リクエストに係るデータが送信不可に設定されている場合、携帯データ通信部４２は、リクエストに係るデータを記憶部２６から読み込んで出力する替わりに、所定の送信不可通知データを生成し、携帯通信制御部４１へ出力する（ステップＳＴ８６）。
【０２２２】
送信不可通知データは、携帯通信制御部４１、携帯モデム部２７、電力線３、ＰＣモデム部６５、ＰＣ通信制御部７１を介して、ＰＣデータ通信部７２に受信される（ステップＳＴ８７）。
【０２２３】
送信不可通知データを受信すると、ＰＣデータ通信部７２は、ユーザが操作部６３を操作してリクエストしたデータを携帯電話機６から取得できなかった旨を表示部６４に表示させる（ステップＳＴ８８）。
【０２２４】
これに対して、リクエストに係るデータが送信不可に設定されている場合、携帯データ通信部４２は、リクエストに係るデータを記憶部２６から読み込み（ステップＳＴ９１）、携帯通信制御部４１へ出力する（ステップＳＴ９２）。
【０２２５】
記憶部２６から読み込まれたリクエストに係る対象データは、ＰＣデータ通信部７２に受信される（ステップＳＴ９３）。
【０２２６】
リクエストに係る対象データを受信すると、ＰＣデータ通信部７２は、受信した携帯電話機６のデータを表示部６４に表示させる（ステップＳＴ９４）。
【０２２７】
また、表示した携帯電話機６のデータを加工するための操作が操作部に入力される（ステップＳＴ１０１）と、ＰＣデータ通信部７２は、入力データを用いて、携帯電話機６のデータを加工する（ステップＳＴ１０２）。
【０２２８】
また、ＰＣデータ通信部７２は、加工したデータを、ＰＣ通信制御部７１へ出力する（ステップＳＴ１０３）。
【０２２９】
加工後の携帯電話機６の加工データは、ＰＣ通信制御部７１、ＰＣモデム部６５、電力線３、携帯モデム部２７、携帯通信制御部４１を介して、携帯データ通信部４２に受信される（ステップＳＴ１０４）。
【０２３０】
携帯データ通信部４２は、受信した加工後のデータを記憶部２６に保存する（ステップＳＴ１０５）。
【０２３１】
これにより、携帯電話機６の記憶部２６に記憶されている携帯電話機６で利用するデータは、パーソナルコンピュータ装置４で加工編集されたデータに更新される。
［携帯電話機の内部データを乗り物（車両等）で閲覧する動作］
図１２は、携帯電話機６の内部データをパーソナルコンピュータ装置４で閲覧する処理の一例を示すシーケンスチャートである。
【０２３２】
乗り物においても、パーソナルコンピュータ装置の表示部に相当する表示装置を備えており、実効的に、パーソナルコンピュータ装置での閲覧する処理に準拠する。
【０２３３】
すなわち、乗り物（車両等）に搭載または実装可能な通信装置は表示部を備えており、通信装置はモデム部を介して送信された電力線通信の通信品質の情報を受信し、その受信した情報に基づいて、通信機器における電力線通信の通信品質を前記表示部に表示することができる。
【０２３４】
以上の一連の処理により、携帯電話機６の充電中に、携帯電話機６で利用するデータの内容をパーソナルコンピュータ装置４の表示部６４に表示させることができる。
【０２３５】
たとえば、携帯電話機６が送受信した電子メールの内容、アドレスデータ４７の内容、携帯電話機６の通話などの履歴データ４８の内容をパーソナルコンピュータ装置４の表示部６４に表示できる。
【０２３６】
また、携帯電話機６の記憶部２６に記憶されたデータは、携帯電話機６の充電中に、パーソナルコンピュータ装置４の操作部６３の操作により更新できる。
【０２３７】
以上の実施形態は、本発明の好適な実施形態の例であるが、本発明は、これに限定されることはなく、発明の要旨を逸脱しない範囲において種々の変形または変更が可能である。
【０２３８】
たとえば上記実施形態では、図９に示すように、携帯データ通信部４２は、電力線通信により、無線通信部２１が受信した通信データそのものを、パーソナルコンピュータ装置４へ送信している。
【０２３９】
この他にも例えば、携帯データ通信部４２は、無線通信部２１が通信データを受信した旨を通知する通信データを、パーソナルコンピュータ装置４へ送信してもよい。
【０２４０】
上記実施形態では、図４に示すように、携帯モデム部２７および電力線通信検出部２８は携帯電話機６に設けられ、携帯通信制御部４１および携帯データ通信部４２は携帯電話機６に実現されている。
【０２４１】
この他にも例えば、携帯モデム部２７および電力線通信検出部２８は充電器５に設けられ、携帯通信制御部４１および携帯データ通信部４２は充電器５に実現されてもよい。
【０２４２】
上記実施形態では、図１０に示すように、携帯電話機６側の電力線通信の通信品質が劣化した場合、携帯モデム部２７およびＰＣモデム部６５の通信モードを、低周波の搬送波および高い信号強度レベルへ切り替えている。
【０２４３】
この他にも、携帯電話機６側の電力線通信の通信品質が改善した場合、携帯モデム部２７およびＰＣモデム部６５の通信モードを、高周波の搬送波および低い信号強度レベルへ切り替えてもよい。
【０２４４】
また、電力線通信検出部２８をパーソナルコンピュータ装置４にも設けて、パーソナルコンピュータ装置４側の電力線通信の通信品質を検出し、検出した通信品質に応じて、携帯モデム部２７およびＰＣモデム部６５の通信モードを切り替えるようにしてもよい。
【０２４５】
また、ＰＣデータ通信部７２は、パーソナルコンピュータ装置４側の電力線通信の通信品質を、表示部６４に表示してもよい。
【０２４６】
これにより、たとえばパーソナルコンピュータ装置４から携帯電話機６が見えなくなるような通信品質の劣化が生じた場合に、その旨をユーザに通知することができる。
【０２４７】
上記実施形態では、図１２に示すように、携帯電話機６の記憶部２６に記憶されたデータを、電力線通信によりパーソナルコンピュータ装置４へ送信し、パーソナルコンピュータ装置４においてデータを報知している。
【０２４８】
この他にも例えば、携帯電話機６のステータスデータ、たとえばバッテリ３４の残量などを、電力線通信によりパーソナルコンピュータ装置４へ送信し、パーソナルコンピュータ装置４において報知してもよい。
【０２４９】
上記実施形態では、携帯電話機６とパーソナルコンピュータ装置４との間で電力線通信している。これ以外の通信機器により、電力線通信してもよい。
【０２５０】
携帯電話機６の替わりに、通信機器として、たとえばＰＨＳ（Personal Handy Phone）などの携帯電話機６以外の無線通信端末を用いてもよい。
【０２５１】
また、無線通信端末の替わりに、無線通信機能を有するＰＤＡ（Personal Data Assistant）、無線通信機能を有する携帯ゲーム機器、無線通信機能を有するパーソナルコンピ
ュータ装置などを通信機器として用いてもよい。
【０２５２】
また、パーソナルコンピュータ装置４の替わりに、表示機能を有する無線通信端末、ＰＤＡ（Personal Data Assistant）、携帯ゲーム機器、表示機能を有するＡＶ機器などを
用いてもよい。
【０２５３】
なお、財団法人日本自動車研究所では電気自動車に関する団体規格として日本電動車両規格 ＪＥＶＳ (Japan Electric Vehicle Standard) を制定している。
【０２５４】
前記電動車両規格に含まれるチャデモ・プロトコルで使用されるインターフェースには、電力を供給するラインと急速充電器・車両等の間の通信に用いる信号線が配置されている。インターフェースの名称は、ＪＥＶＳ  Ｇ１０４である。
【０２５５】
電力線通信をする場合は、電力を供給するラインに電力線通信を適用することによって、車両等に搭載または実装される通信機器（車載通信モジュール等）との通信が可能となる。
【０２５６】
また、SAE（Society of Automotive Engineers）のSAE  Ｊ１９３９の通信プロトコル仕様はトラックおよびバスのネットワーク制御・通信のために開発されたプロトコルであるが、現在では、トラック・バスに限らず建設機械、農業機械や船舶用電子機器などに利用されている。これらに用いられるインターフェースにおいても、電力線通信をする場合は、電力を供給するラインに電力線通信を適用することによって、車両等に搭載または実装される通信機器（車載通信モジュール等）との通信が可能となる。
【符号の説明】
【０２５７】
１…電力線通信システム、２…ＡＣ電源（交流電源）、３…電力線、４…パーソナルコンピュータ装置（他の通信機器）、５…充電器、６…携帯電話機（通信機器、無線通信端末）、７…電源コンセント（コンセント）、２１…無線通信部、２２…無線通信検出部、２６…記憶部、２７…携帯モデム部（モデム部）、２８…電力線通信検出部、３３…充電部、３４…バッテリ、４１…携帯通信制御部（通信制御部）、４２…携帯データ通信部（データ通信部）、４９…制限データ、６４…表示部
１００…乗り物（他の通信機器）
【図１】
2011010272.tif 000003
【図２】
2011010272.tif 000004
【図３】
2011010272.tif 000005
【図４】
2011010272.tif 000006
【図５】
2011010272.tif 000007
【図６】
2011010272.tif 000008
【図７】
2011010272.tif 000009
【図８】
2011010272.tif 000010
【図９】
2011010272.tif 000011
【図１０】
2011010272.tif 000012
【図１１】
2011010272.tif 000013
【図１２】
2011010272.tif 000014